(57)【要約】      （修正有）【課題】危険なノズル先端部だけを局部的にエラストマー系樹脂を用いて軟質仕上げとなし、キャップや中栓の主要部には硬質の樹脂を用いて剛性を確保し、その上でエラストマー系樹脂部分とその他の硬質樹脂部分は、射出成形用金型を用いて、所謂二色成形を行う。【解決手段】ノズル３部分はポリプロピレン等の硬質樹脂で成形し、ノズル３の先端に形成される注出口４部分はエラストマー系樹脂を用いて二色成形する。本考案を用いることができる対象物品としては、ノズルキャップ１、ノズル中栓８、液体注出ポンプ１３、水差し器１９等を例示することができる。【選択図】図１
0003117534.tif 000002
【実用新案登録請求の範囲】
【請求項１】
ノズル部分は硬質の樹脂を用いて成形し、このノズルの先端の液体注出口部分はエラストマー系樹脂を用いて二色成形した構成の液体注出装置。
【請求項２】
前記液体注出口は、ノズルキャップにおけるノズルの先端部分であることを特徴とする請求項１に記載の液体注出装置。
【請求項３】
前記液体注出口は、ノズル中栓におけるのノズルの先端部分であることを特徴とする請求項１に記載の液体注出装置。
【請求項４】
前記液体注出口は、液体注出ポンプの注出口部分であることを特徴とする請求項１に記載の液体注出装置。
【請求項５】
前記液体注出口は、水差し器における水差し口の先端部分であることを特徴とする請求項１に記載の液体注出装置。
【請求項６】
前記ノズル部分の先端に係合部を形成し、エラストマー系樹脂を材料とする液体注出口部分を、この係合部に被せるようにして二色成形したことを特徴とする請求項１に記載の液体注出装置。
【考案の詳細な説明】
【技術分野】
【０００１】
本考案は、尖った形状の注出口を有する液体注出装置に関する。
【背景技術】
【０００２】
容器内の液体を注出する際に、一度に多くの量が出てしまわないように、あるいは注出位置を狭い範囲に特定できるように、あるいは勢い良く内容物を噴出できるようにするために、注出口（ノズル）の先端を尖らせた形状のものが、調味料とかシャンプーあるいは育毛剤、液体石鹸等の容器に多く利用されている。
しかし、このように先端が尖った形状のノズルの場合、先端の尖った部分が肌に当って痛みを感じたりすることがあり、特に、肌の弱い幼児や高齢者にあっては、危険なこともある。
【０００３】
このような問題が発生しないノズルの一例が、特表２００１−５０７６２５号公報に掲載されている。但し、このノズルは、エラストマー系樹脂で作られているが、先端は剛性のある樹脂で成形されているため、上述した欠点を解消するものではない。
【０００４】
また、特表２００２−５１８１０７号公報には、ノズルキャップ全体をエラストマー系樹脂で被覆した例が開示されている。但し、この公知例の場合は、硬質材のキャップの表面をエラストマー系樹脂で被覆したものであって、ノズルの先端部そのものが軟質性を有し、クッション効果を奏するものではないため、肌に当れば多少の痛さを軽減する効果はあっても、絶対なものではない。
【考案の開示】
【考案が解決しようとする課題】
【０００５】
本考案は斯る点に鑑みて提供されるものであって、その目的は、危険なノズル先端部だけを局部的にエラストマー系樹脂仕上げとなし、キャップや中栓の主要部には硬質の樹脂を用いて剛性を確保し、その上でエラストマー系樹脂部分とその他の硬質樹脂部分は、射出成形用金型を用いて、所謂二色成形を行うことである。
【課題を解決するための手段】
【０００６】
上記目的を達成するため、請求項１に記載の考案においては、液体注出装置において、ノズル部分は硬質の樹脂を用いて成形し、このノズルの先端の液体注出口部分はエラストマー系樹脂を用いて二色成形した構成を特徴とするものである。
【０００７】
更に、請求項２に記載の考案においては、請求項１に記載の液体注出装置において、前記液体注出口は、ノズルキャップにおけるノズルの先端部分であることを特徴とするものである。
【０００８】
更に、請求項３に記載の考案においては、請求項１に記載の液体注出装置において、前記液体注出口は、ノズル中栓におけるノズルの先端部分であることを特徴とするものである。
【０００９】
更に、請求項４に記載の考案においては、請求項１に記載の液体注出装置において、前記液体注出口は、液体注出ポンプの注出口部分であることを特徴とするものである。
【００１０】
更に、請求項５に記載の考案においては、請求項１に記載の液体注出装置において、前記液体注出口は、水差し器における水差し口の先端部分であることを特徴とするものである。
【００１１】
更に、請求項６に記載の考案においては、請求項１に記載の液体注出装置において、前記ノズル部分の先端に係合部を形成し、エラストマー系樹脂を材料とする液体注出口部分を、この係合部に被せるようにして二色成形したことを特徴とするものである。
【００１２】
［作用］
本考案は以上のように、ノズルの先端部分をエラストマー系樹脂を用いて二色成形したことにより、ノズルの先端が尖っていても、エラストマー系樹脂独特の柔軟性とこのクッション性により、仮に肌に当っても痛みを感じたり、怪我をするといった心配がなくなる。
また、二色成形方式のため、生産性が高く、コストもかからず、実用性が高い。
【考案の効果】
【００１３】
ノズル本体側に用いられる樹脂は、それぞれの用途に応じたものを選択すれば良く、例えばポリプロピレン、ポリエチレン、ポリスチレン等である。
一方、エラストマー系樹脂としては、スチレン系、ポリエステル系、ウレタン系、オレフィン系、ニトリル系、ポリアミド系、フッ素系、ポリブタジエン、トランス１．４１Ｒ、シリコーン系、エステルハロゲン系ポリマーアロイ等を用いることができる。これらのエラストマー系樹脂の選択は、ノズル本体側の樹脂との相性と特性等により決定する。
二色成形方法には、公知のコア回転方式あるいは、コアバック方式等を採用した常用の二色成形機を用いることができる。
【実施例１】
【００１４】
上記した本考案をノズルキャップに実施した実施例を図１及び図２に基づいて詳細に説明する。図１は本考案をノズルキャップに実施した場合の説明図、図２はＡ−Ａ′線断面図である。
この図１及び図２において、１はノズルキャップであって、このノズルキャップ１は、容器６の口部７にキャップ本体２部分を装着して用いられるもので、このノズルキャップ１のノズル３の先端注出口４部分は、エラストマー系樹脂で形成されていて、キャップ本体２とノズル３に対し、注出口４部分は二色成形法で一体成形されている。
【００１５】
因みに、ノズル本体２及びノズル３部分にはポリエチレン樹脂が用いられ、先端の注出口４の部分にはオレフィン系熱可塑性エラストマーが用いられている。二色成形プロセスでは、先ず第１シリンダーにより金型内に溶融したポリエチレン樹脂を射出してキャップ本体２、ノズル３を成形し、次に、金型を開き、前記成形品をコア内に付着させたまま金型を回転させて型締めを行い、第２シリンダーによりオレフィン系エラストマー系樹脂を射出することにより、注出口４を成形し、再び型開きを行うと注出口４部分が軟質特性を有するノズルキャップ１が得られる。
図２は、ノズル３と注出口４部分の断面を示し、ノズル３の先端に注出口４は溶着し、一体化している。なお、上記二色成形を行うときに、ノズル３と注出口４部分の結合を強化するために、ノズル３の先端部分には係合部３ａを形成しておくと良い。この係合部３ａの形状は、図２において（Ａ）あるいは（Ｂ）等、任意である。図１において、５はノズル３の注出口４の部分に被冠するためのトップキャップである。
【実施例２】
【００１６】
本実施例２は、ノズル中栓に本考案を実施した例を示すもので、図３（Ａ）（Ｂ）にその具体的な構成が示されている。このノズル中栓９は、実施例１と同一の方法で二色成形されたもので、ノズル１０の先端の注出口１１部分がエラストマー系樹脂で二色成形されている。
【実施例３】
【００１７】
本実施例３は、液体注出ポンプ１３（ディスペンサー）に本考案を実施した例を示すもので、図４にその具体的な構成が示されている。このポンプ１３のノズル１６の先端には、エラストマー樹脂で二色成形された注出口１７が実施例１と同一の方法で一体に成形されている。図４において、１８はピストンである。
【実施例４】
【００１８】
本実施例４は、水差し器に本考案を実施した例を示すもので、図５にその具体的な構成が示されている。この水差し器１９の水差し部２０の先端には、実施例１と同一の方法により、エラストマー系樹脂で二色成形された差し口２１が一体に成形されている。
【産業上の利用可能性】
【００１９】
上記実施例１〜４は本考案を実施した一例であって、尖った形状のノズルのような注出口を有するものであって、樹脂成形品のすべてに本考案は適用可能であり、本考案の技術的範囲内に属する。
【図面の簡単な説明】
【００２０】
【図１】ノズルキャップに本考案を実施した例の説明図
【図２】Ａ−Ａ′線断面図
【図３】（Ａ）（Ｂ）ノズル中栓に本考案を実施した例の説明図
【図４】液体注出ポンプに本考案を実施した例の説明図
【図５】水差し器に本考案を実施した例の説明図
【符号の説明】
【００２１】
１  ノズルキャップ
３  ノズル
４  注出口
８  ノズル中栓
１３  液体注出ポンプ
１９  水差し器
【図１】
0003117534.tif 000003
【図２】
0003117534.tif 000004
【図３】
0003117534.tif 000005
【図４】
0003117534.tif 000006
【図５】
0003117534.tif 000007